(57)【要約】【課題】頭部の意匠的自由度を高めることのできる解錠キーを提供することを目的とする。【解決手段】キーブレード１の先端部に該キーブレード１と別体に形成された扁平頭部２が固定される解錠キーであって、  前記扁平頭部２の一部または全部が、キーブレード１の先端に形成される連結部３に嵌合される頭部構成部材４により形成されるとともに、  前記頭部構成部材４は、前記扁平頭部２の周壁面に開設されたキー挿入開口５から挿入されて固定されるキー部材６により嵌合解除方向の移動が規制される。【選択図】  図２
2006200302.tif 000002
【特許請求の範囲】
【請求項１】
キーブレードの先端部に該キーブレードと別体に形成された扁平頭部が固定される解錠キーであって、
前記扁平頭部の一部または全部が、キーブレードの先端に形成される連結部に嵌合される頭部構成部材により形成されるとともに、
前記頭部構成部材は、前記扁平頭部の周壁面に開設されたキー挿入開口から挿入されて固定されるキー部材により嵌合解除方向の移動が規制される解錠キー。
【請求項２】
前記連結部は、キーブレードの一端に合成樹脂材を一体成型して形成される請求項１記載の解錠キー。
【請求項３】
前記扁平頭部には電子部品収容部が形成され、
前記キー部材が、該電子部品収容部内に収容、固定される電子部品により抜け止めされる請求項１または２記載の解錠キー。
【請求項４】
前記電子部品は、封止剤により電子部品収容部内に封止、固定される請求項３記載の解錠キー。
【発明の詳細な説明】
【技術分野】
【０００１】
本発明は、解錠キーに関するものである。
【背景技術】
【０００２】
金属製キーブレードの一端に合成樹脂製の頭部を形成した解錠キーとしては、特許文献１に記載のものが知られている。この従来例において、キーブレードの一端には、電子部品とともにホルダが一体成型され、さらにこれら成型体をインサート体としてつまみ部が一体成型される。
【０００３】
しかし、上述した従来例において、最外殻部材が内部構造体をインサート体として一体成型されるために、ひけ、ウエルドマーク等の表面欠陥が発生しやすいという問題がある。表面欠陥は、合成樹脂の材料種、肉厚の均一化等の手法により一定程度防止可能であるが、これらの条件を満足するために、材料種、形状等の自由度が低下してしまうという問題がある。
【特許文献１】特開平９-９６１３６号公報
【発明の開示】
【発明が解決しようとする課題】
【０００４】
本発明は、以上の欠点を解消すべくなされたものであって、頭部の意匠的自由度を高めることのできる解錠キーを提供することを目的とする。
【課題を解決するための手段】
【０００５】
本発明によれば上記目的は、
キーブレード１の先端部に該キーブレード１と別体に形成された扁平頭部２が固定される解錠キーであって、
前記扁平頭部２の一部または全部が、キーブレード１の先端に形成される連結部３に嵌合される頭部構成部材４により形成されるとともに、
前記頭部構成部材４は、前記扁平頭部２の周壁面に開設されたキー挿入開口５から挿入されて固定されるキー部材６により嵌合解除方向の移動が規制される解錠キーを提供することにより達成される。
【０００６】
キーブレード１の先端には連結部３が形成され、この連結部３に対して頭部構成部材４を機械的に連結することによって扁平頭部２の全部、または一部が形成される。頭部構成部材４は、連結部３とは別体に形成されるために、一体成型する場合に加えられる意匠的制約がなく、設計の自由度が高まる。
【０００７】
連結部３と頭部構成部材４との双方に閂状に嵌合して頭部構成部材４の脱離を規制するキー部材６は、キー挿入開口５から挿入されて固定される。キー部材６の固定は、頭部構成部材４、あるいは後述するように、連結部３が合成樹脂材等により形成される場合には、連結部３への圧入、あるいは打ち込みによることが可能であるが、この他に、キー挿入開口５を適宜の封止剤９により封止して固定することもできる。
【０００８】
キー挿入開口５を扁平頭部２の周壁面に開設することによって、扁平面に配置する場合に比してキー挿入開口５を目立たせないことが可能になり、意匠的な違和感を少なくすることができる。この場合、キー挿入開口５から目視可能なキー部材６等は、キー挿入開口５が形成される部材の色彩と同一にすることにより、より意匠的な違和感を少なくすることができる。
【０００９】
扁平頭部２は、頭部構成部材４のみによって形成されるものであっても、あるいは、頭部構成部材４と他の合成樹脂製の頭部構成部と協働して構成されるものであってもよい。頭部構成部材４のみによって扁平頭部２を構成する場合には、キーブレード１の先端部に、例えば、キー部材６が嵌合する凹部を有する連結部３を形成し、該連結部３に頭部構成部材４を被せ、キー部材６により固定すればよい。
【００１０】
また、頭部構成部材４を扁平頭部２の一部として使用する場合には、キーブレード１の先端に合成樹脂材をインサート成型して連結部３を形成し、これに頭部構成部材４を連結すればよい。他の頭部構成部と協働して扁平頭部２を構成すること、すなわち、連結部３を合成樹脂材をインサート成型して形成することにより、扁平頭部２を複数の色彩で構成したり、あるいは異なった質感（材料）で構成することが可能になる。
【００１１】
上記扁平頭部２には、トランスポンダ等の電子部品８を収容することが可能であり、
扁平頭部２には電子部品収容部７が形成され、
前記キー部材６が、該電子部品収容部７内に収容、固定される電子部品８により抜け止めされる解錠キーを構成することができる。
【００１２】
電子部品収容部７は、キー挿入開口５を拡張して形成され、電子部品８の電子部品収容部７内での固定は、例えば、キー挿入開口５を適宜の蓋体により閉塞したり、あるいは封止剤９を使用することにより簡単に実現できる。
【００１３】
電子部品収容部７を扁平頭部２に形成し、電子部品８を収容した後、キー部材６の脱離を兼ねて固定することにより、例えば、電子部品８をインサート成型する場合に比して、電子部品８を加熱することがないために、不良発生率を低下させることができる。
【発明の効果】
【００１４】
本発明によれば、扁平頭部の意匠的自由度を高めることができる。
【発明を実施するための最良の形態】
【００１５】
図１に車両用の緊急時使用のための解錠キーとして構成された本発明の実施の形態を示す。この実施の形態において、解錠キーは、電子的認証手段を収容したケース１０内に収容される。ケース１０には、ドア等の施解錠操作を行うための適数のスイッチ１０ａ、１０ａ・・が配置される。
【００１６】
解錠キーは、上記電子的認証手段の故障時等にドア等の施解錠操作を行うために用意されるもので、キーブレード１の先端に操作のための摘み部が扁平な扁平頭部２を備える。キーブレード１には係止用切欠１ａが設けられ、ケース１０に挿入した状態でケース１０内の弾発係止部（図示せず）が弾発的に係止してケース１０からの脱落が規制される。
【００１７】
図２、３に示すように、解錠キーの扁平頭部２は、キーブレード１の先端に該キーブレード１をインサート体として一体成型される合成樹脂製の連結部３と、キー部材６を介して連結部３に連結される合成樹脂製の頭部構成部材４とからなる。
【００１８】
連結部３は、図３（ａ）に示すように、上方に向けて開口される嵌合凹部３ａを備えてボックス形状に形成される。また、イモビライザシステム用のトランスポンダ（電子部品８）が実装されるこの実施の形態において、連結部３には電子部品収容部７が形成される。この電子部品収容部７は連結部３の側方に開口し、キー挿入開口５とされる。
【００１９】
電子部品収容部７と嵌合凹部３ａとの境界壁には、キー部材６が挿通する挿通孔１１が開設される。後述するように、トランスポンダ８が扁平頭部２の周壁から目視可能なこの実施の形態において、トランスポンダが目立たないように、トランスポンダ８のハウジングは、連結部３の色彩と同色に形成される。
【００２０】
頭部構成部材４は扁平頭部２の先端部を構成する主体部４ａと、主体部４ａの一端から突設される連結脚部４ｂとを備える。主体部４ａは、連結部３への連結状態において外部に露出して解錠キー全体にキーホルダ挿通孔を提供する。連結脚部４ｂは、上記連結部３の嵌合凹部３ａに嵌合可能な形状に形成され、側壁部には、嵌合凹部３ａへの嵌合状態において連結部３の挿通孔１１に正対するキー嵌合切欠４ｃが設けられる。
【００２１】
さらに、頭部構成部材４と連結部３とには、噛合部１２が形成され、頭部構成部材４の連結方向、すなわち、キーブレード１の長手方向に直交する方向への移動が規制される。
【００２２】
キー部材６は、ほぼ立方体形状に形成され、上記キー挿入開口５から挿通孔１１に挿入される。挿通孔１１への挿通状態で頭部構成部材４のキー嵌合切欠４ｃに嵌合するキー部材６の先端部は、キー嵌合切欠４ｃとの間にがたつきが生じないような寸法に設定するのが望ましい。また、キー部材６は、キー嵌合切欠４ｃに嵌合させた状態で、電子部品収容部７内にトランスポンダ８の収容スペースが確保される程度の長さ寸法（Ｌ）に形成される。
【００２３】
以上のように構成される解錠キーは、連結部３に頭部構成部材４を連結して組み立てられる。組立に際し、図３に示すように、先ず、頭部構成部材４の連結脚部を４ｂ連結部３の上方から嵌合凹部３ａに嵌合し、次いで、キー部材６をキー嵌合切欠４ｃに嵌合させる。この後、電子部品収容部７内に適当量の封止剤９を充填した後、電子部品収容部７内にトランスポンダ８を挿入し、さらに、キー挿入開口５の開口端を封止剤９により封止する。
【００２４】
封止剤９には、充填後硬化して接着性能を発揮する充填剤、接着剤等が使用され、封止剤９の硬化により、挿入先端側の側壁面がキー部材６に当接するトランスポンダ８の移動が完全に規制され、結果、キー部材６の抜去も不能になる。この状態において、頭部構成部材４は嵌合解除方向への移動がキー部材６により規制されて連結部３に固定され、連結部３とが協働して扁平頭部２を構成する。
【００２５】
なお、以上においては、扁平頭部２にトランスポンダ８を収容する場合を示したが、同一構成でトランスポンダ８の収容されない解錠キーを形成するには、電子回路が含まれないダミーのトランスポンダを固定したり、あるいは、封止剤９を電子部品収容部７内全体に充填すればよい。
【図面の簡単な説明】
【００２６】
【図１】本発明を示す図で、（ａ）は側面図、（ｂ）は正面図である。
【図２】解錠キーの断面図で、（ａ）は図１（ｂ）の２Ａ-２Ａ線断面図、（ｂ）は図２（ａ）の２Ｂ-２Ｂ線断面図である。
【図３】図２の分解断面図で、（ａ）は図２（ｂ）に対応する図、（ｂ）は図２（ａ）に対応する図である。
【符号の説明】
【００２７】
１        キーブレード
２        扁平頭部
３        連結部
４        頭部構成部材
５        キー挿入開口
６        キー部材
７        電子部品収容部
８        電子部品
【図１】
2006200302.tif 000003
【図２】
2006200302.tif 000004
【図３】
2006200302.tif 000005